(57)【要約】【課題】音を聞き取りやすくする。【解決手段】スピーカー装置１は、音声振動を発生するドライバーユニット３と、両端部が固定され、湾曲することにより少なくとも一部が閉鎖された空間を形成し、ドライバーユニット３により発生された音声振動を空間領域９にて共鳴させる振動板５と、を有している。【選択図】図１
2018007139.tif 000002
【特許請求の範囲】
【請求項１】
音声振動を発生する発生部と、
両端部が固定され、湾曲することにより少なくとも一部が閉鎖された空間を形成し、前記発生部により発生された音声振動を前記空間にて共鳴させる振動板と、
を有することを特徴とするスピーカー装置。
【請求項２】
前記共鳴が２００〜３０００Ｈｚで最も強くなるように前記振動板を弓型に引く弦を有する請求項１に記載のスピーカー装置。
【請求項３】
前記振動板の側部の幅に対応する幅を有し、前記振動板に接触して前記発生部の音声振動を前記振動板に伝達する板状のバスバーを有する請求項１または２に記載のスピーカー装置。
【請求項４】
前記バスバーが前記振動板を介して前記空間とは反対側に配置されている請求項３に記載のスピーカー装置。
【発明の詳細な説明】
【技術分野】
【０００１】
本発明はスピーカー装置に関する。
【背景技術】
【０００２】
音の高低（周波数）によって耳の感度が低下し、「聞こえ」が悪くなることが知られている。一般的に高齢者は特に高い音（周波数）ほど聞こえなくなる傾向にある。
このため、音声再生を行う際に、高齢者特有の聴力機能に対して最適な状態で音声が聞こえるように制御する方法が知られている。
【先行技術文献】
【特許文献】
【０００３】
【特許文献１】国際公開第２０１０／１３７６５０号
【発明の概要】
【発明が解決しようとする課題】
【０００４】
一般的に５０歳を過ぎると３０００ｈｚ以上の周波数の音声は聞きづらくなるとともに音声を強くしても聞きづらくなる（例えば、http://www.hearing-store.com/hypacusis.html参照）。
【０００５】
バイオリン及びギターは、２００Ｈｚから３０００Ｈｚの音に最も共鳴する音楽木材「マホガニー材、スプルース材」を振動板に使用し中低音域（２００ｈｚ〜３０００ｈｚ）を強く出力する（例えば、http://www.enjoy.ne.jp/~k-ichikawa/kachou_ryouiki.html参照）。そのことから高齢者は、バイオリン及びギターの音は良く聞こえると云う要因でもある。
１つの側面では、本発明は、音を聞き取りやすくすることを目的とする。
【課題を解決するための手段】
【０００６】
上記目的を達成するために、開示のスピーカー装置が提供される。このスピーカー装置は、音声振動を発生する発生部と、両端部が固定され、湾曲することにより少なくとも一部が閉鎖された空間を形成し、発生部により発生された音声振動を空間にて共鳴させる振動板と、を有している。
【発明の効果】
【０００７】
１態様では、音を聞き取りやすくすることができる。
【図面の簡単な説明】
【０００８】
【図１】第１の実施の形態のスピーカー装置の断面図である。
【図２】第１の実施の形態のスピーカー装置の平面図である。
【図３】ドライバーユニットを説明する図である。
【図４】筐体の側部を説明する図である。
【図５】第２の実施の形態のスピーカー装置を示す断面図である。
【図６】第２の実施の形態のスピーカー装置の平面図である。
【図７】第２の実施の形態のドライバーユニットの構造を説明する図である。
【発明を実施するための形態】
【０００９】
以下、実施の形態のスピーカー装置を、図面を参照して詳細に説明する。
＜第１の実施の形態＞
図１は、第１の実施の形態のスピーカー装置の断面図であり、図２は、第１の実施の形態のスピーカー装置の平面図である。
【００１０】
実施の形態のスピーカー装置１は、筐体２を備えている。筐体２の一面（図１中、上側）は、開口部を備えている。筐体２の開口部には、スピーカー保護膜２ａが取り付けられている。なお、図２では、スピーカー保護膜２ａの図示を省略している。
筐体２内には、ドライバーユニット３、振動軸４、振動板５、振動板固定具６ａ、６ｂ、振動板引張軸７、および振動板引張弦８が取り付けられている。
図３は、ドライバーユニットを説明する図である。
ドライバーユニット３は、フレーム３１内にマグネット３２、ダンパー３３、ボイスコイル３４および振動部３５が設けられている。
音声信号がボイスコイル３４を流れることにより振動部３５が振動する。振動部３５の振動は、振動軸４を通じて振動板５に伝わる。
再び図１に戻って説明する。
【００１１】
振動板５は、矩形の平板を渦巻き状に巻いて形成されている。なお、振動板５の大きさは特に限定されないが、筐体２との隙間がなるべく小さくなる（筐体２の側部になるべく近づける）のが好ましい。
【００１２】
振動板５の構成材料としては、例えば、バイオリンや、ギターの共鳴箱と同一の楽器用木材（マホガニー材、スプルース材）が挙げられる。これにより中低音域（２００ＨＺ〜３０００ＨＺ）の音に良く共鳴する音楽用木材の特徴を生かしたスピーカー装置１を実現することができる。
【００１３】
振動板５の一方の端部は、振動板固定具６ａ、６ｂが取り付けられている。振動板固定具６ａは、直方体の角材である。振動板固定具６ｂは、円柱状の角材である。
図４は、筐体の側部を説明する図である。
【００１４】
図４に示すように、筐体２の振動板固定具６ａ、６ｂに対応する部位には振動板固定具６ａ、６ｂそれぞれの形状に応じた孔部２ｂ、２ｃが形成されている。振動板固定具６ａ、６ｂの両端部が孔部２ｂ、２ｃに位置することにより、振動板固定具６ａ、６ｂが筐体２により支持されている。
【００１５】
振動板固定具６ｂは、孔部２ｃにネジで固定されている。ネジを緩めて締め直すことにより、振動板固定具６ｂは、振動板引張軸７を左右に回転させて振動板５を弧状に張らせたり緩めたりすることができる。言い換えれば、振動板５の巻き込み具合を調整することができる。
再び図１に戻って説明する。
振動板固定具６ｂには、振動板引張軸７が取り付けられている。
振動板固定具６ａと振動板引張軸７間には、振動板引張弦８が取り付けられている。
【００１６】
振動板引張弦８のテンション（緊張）は、中低音域（２００ＨＺ〜３０００ＨＺ）の音に対し、振動版５の共振現象が最も大きくなり、強い音が出る位置で振動板５の張りを止めるように振動板固定具６ａと振動板引張軸７間に取り付けられている。
振動板５の渦巻き状に巻かれた部位の両側部には、振動板空間領域両サイド蓋１３が取り付けられている。
振動板空間領域両サイド蓋１３により一部が閉鎖された空間領域９を形成している。この空間領域９が共振胴を形成している。
振動板５を渦巻き型にしたことにより振動板５の共鳴領域が大きくなりスピーカー装置１を小型化しても明瞭で高い音声エネルギーを出力することができる。
次に、スピーカー装置１の音声出力動作を説明する。
【００１７】
ドライバーユニット３が出力した音声信号は、振動軸４を通じて振動板５全体に均一的に音声信号を伝える。振動板５を共鳴振動させることにより、振動に応じた音を出力することができる。具体的には、振動板５が振動することにより音声振動を空間領域９と振動板５にて共鳴させる。
【００１８】
一般的にバイオリンやギターの音質は、高齢者にも非常に聞き取りやすいといわれている。以上、説明したように、スピーカー装置１は、ヴァイオリン・ギター等の弦楽器が持っている振動板と同様の構造を備える振動板５を設け、共振現象が起こりやすくした共鳴板と空洞域を持つ。このため、スピーカー装置１が発する音声も高齢者にも非常に聞き取りやすい。
【００１９】
また、日本語は、欧米の言葉と異なり２００ｈｚ〜２５００ｈｚを主とする発生音になっている（例えば、http://www6.big.or.jp/~1happy/bio/bio2.htm参照）のでスピーカー装置１の共鳴現象が２００ｈｚ〜３０００ｈｚで最も強くなるように振動板引張弦８で振動板５を弓型に引くことにより、一般の日本人の声帯に近似した音を強く出すことができる。
＜第２の実施の形態＞
次に、第２の実施の形態のスピーカー装置について説明する。
【００２０】
以下、第２の実施の形態のスピーカー装置について、前述した第１の実施の形態（のスピーカー装置）との相違点を中心に説明し、同様の事項については、その説明を省略する。
図５は、第２の実施の形態のスピーカー装置を示す断面図であり、図６は、第２の実施の形態のスピーカー装置の平面図である。
図５に示す第２の実施の形態のスピーカー装置１ａは、ドライバーユニット３の配置位置が第１の実施の形態と異なっている。
【００２１】
第２の実施の形態のドライバーユニット３は、筐体２内に配置された角度調整材１０により所定角度傾斜した状態で図５中、振動板５を介して空間領域９に隣接するように取り付けられている。
スピーカー装置１ａは、ドライバーユニット３と振動板５との間に魂柱１１とバスバー１２とを備えている。
魂柱１１の機能は、バイオリン等の弦楽器が備える魂柱と同様である。
ドライバーユニット３の音声振動は、魂柱１１を通じてバスバー１２に伝わる。
図６に示すように、バスバー１２は、振動板５を介して空間領域９とは反対側に配置されている。
【００２２】
バスバー１２の長手方向の長さは振動板５の幅の長さと同じか少し短い。このバスバー１２は、平面視で振動板５の側部の大部分を覆うような形状をなしている。
【００２３】
また、図５に示すように、バスバー１２は、振動板５の振動版固定具６ａからバスバー１２の中心までの長さＬ１と、バスバー１２の中心から回転型振動版固定具６ｂまでの長さＬ２との割合が１対２になる位置に配置されている。これにより、空間領域９の共鳴振動と振動板５の共鳴振動が最も高くなることが試作段階で明らかになった。
図７は、第２の実施の形態のドライバーユニットの構造を説明する図である。
図７に示すように、魂柱１１が振動部３５に取り付けられている。
【００２４】
バスバー１２により、魂柱１１から受け取った音声振動エネルギーを均一に振動板５に伝えることができる。これにより、音声のブレおよび雑音の発生を抑制することができる。
次に、スピーカー装置１ａの動作を簡単に説明する。
バスバー１２が魂柱１１から受け取った音声振動エネルギーを振動板５に伝えることで、振動板５を共鳴振動させることにより、振動に応じた音を出力する。
【００２５】
以上、本発明のスピーカー装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００２６】
１、１ａ  スピーカー装置
２  筐体
２ａ  スピーカー保護膜
３  ドライバーユニット
４  振動軸
５  振動板
６ａ、６ｂ  振動板固定具
７  振動板引張軸
８  振動板引張弦
９  空洞領域
１０  角度調整材
１１  魂柱
１２  バスバー
１３  振動板空間領域両サイド蓋
【図１】
2018007139.tif 000003
【図２】
2018007139.tif 000004
【図３】
2018007139.tif 000005
【図４】
2018007139.tif 000006
【図５】
2018007139.tif 000007
【図６】
2018007139.tif 000008
【図７】
2018007139.tif 000009